(57)【要約】【課題】本発明は、コンピューターを提供することを目的とする。【解決手段】本発明のコンピューターは、ネットワークインターフェースカード及び第一インターフェースを有するホストコンピューターと、第一インターフェースに接続される第二インターフェース、第一発光ダイオード及び第二発光ダイオードを有する表示装置と、を備え、ネットワークインターフェースカードは、第一ピン、第二ピン及び第三ピンを備え、第一インターフェースは、第二ピン及び第三ピンに接続される第四ピンと、第一ピンに接続される第五ピンと、を備え、第二インターフェースは、第一発光ダイオード及び第二発光ダイオードを介して同じ電源に接続される第七ピン及び第六ピンを備え、第四ピンは第六ピンに接続され、第五ピンは第七ピンに接続され、第一、第二発光ダイオードの点灯状態又は点滅状態は、ネットワーク接続を示すために用いられる。【選択図】図２
2012203904.tif 000002
【特許請求の範囲】
【請求項１】
ホストコンピューター及び表示装置を備えるコンピューターであって、
前記ホストコンピューターは、ネットワークインターフェースカード及び第一インターフェースを備え、
前記ネットワークインターフェースカードは、少なくとも３本のピンを備え、即ちネットワークに接続されているかどうかを示すために用いられる第一ピン、１０Ｍ又は１００Ｍのネットワーク接続による通信状態を示すために用いられる第二ピン、１０００Ｍのネットワーク接続による通信状態を示すために用いられる第三ピンであり、
前記第一インターフェースは、少なくとも２つのピンを備え、即ち前記ネットワークインターフェースカードの第二ピン及び第三ピンに接続される第四ピン、前記ネットワークインターフェースカードの第一ピンに接続される第五ピンであり、
前記表示装置は、前記第一インターフェースに接続される第二インターフェースを備え、前記表示装置には、第一発光ダイオード及び第二発光ダイオードが設置され、前記第二インターフェースは、少なくとも２つのピンを備え、即ち別々に前記第一発光ダイオード及び前記第二発光ダイオードを介して同じ電源に接続される第七ピン及び第六ピンであり、
前記第四ピンは前記第六ピンに接続され、前記第五ピンは前記第七ピンに接続され、
前記第一発光ダイオード及び前記第二発光ダイオードの点灯状態又は点滅状態は、ネットワーク接続を示すために用いられることを特徴とするコンピューター。
【請求項２】
前記ホストコンピューターは、ローカルエリアネットワークインターフェースをさらに備え、前記ローカルエリアネットワークインターフェースは少なくとも５つのピンを備え、即ち、レジスターを介して前記ネットワークインターフェースカードの第一ピンに接続される第八ピン、電源に接続される第九ピン、レジスターを介して前記ネットワークインターフェースカードの第二ピンに接続される第十ピン、電源に接続される第十一ピン、レジスターを介して前記ネットワークインターフェースカードの第三ピンに接続される第十二ピンであり、
前記第八ピンは、第三発光ダイオードを介して前記第九ピンに接続され、
前記第十ピンは、第四発光ダイオードを介して前記第十一ピンに接続され、
前記第十二ピンは、第五発光ダイオードを介して前記第十一ピンに接続され、
前記第三発光ダイオード、前記第四発光ダイオード及び前記第五発光ダイオードの点灯状態又は点滅状態は、ネットワーク接続を示すために用いられることを特徴とする請求項１に記載のコンピューター。
【請求項３】
前記第四ピンは、第一隔離ダイオードを介して、前記ネットワークインターフェースカードの第二ピンに接続され、
前記第四ピンは、第二隔離ダイオードを介して、前記ネットワークインターフェースカードの第三ピンに接続されることを特徴とする請求項１に記載のコンピューター。
【請求項４】
前記第一隔離ダイオードの陽極及び前記第二隔離ダイオードの陽極は、全て前記第四ピンに接続され、
前記第一隔離ダイオードの陰極及び前記第二隔離ダイオードの陰極は、前記第二ピン及び前記第三ピンにそれぞれに接続されることを特徴とする請求項３に記載のコンピューター。
【請求項５】
前記第一発光ダイオードは、レジスターを介して電源に接続され、前記第二発光ダイオードは、別のレジスターを介して前記電源に接続されることを特徴とする請求項１に記載のコンピューター。
【請求項６】
前記第一発光ダイオード及び前記第二発光ダイオードは、前記表示装置の側面に設置されることを特徴とする請求項１に記載のコンピューター。
【発明の詳細な説明】
【技術分野】
【０００１】
本発明は、コンピューターに関するものである。
【背景技術】
【０００２】
現在、コンピューターのネットワーク指示ランプは、ホストコンピューターの背面のネットワークインターフェースに位置する。デスクトップコンピューターにおいて、ホストコンピューターと表示装置は分離し、ホストコンピューターは一般的に机の下方に設置されているので、ネットワーク指示ランプが点滅しているかどうかを確かめるために、ユーザーは腰を曲げることを必要として、使用不便である。
【発明の概要】
【発明が解決しようとする課題】
【０００３】
本発明の目的は、前記課題を解決し、ネットワークに正常に接続されているかどうかを便利に確かめるコンピューターを提供することである。
【課題を解決するための手段】
【０００４】
本発明に係るコンピューターは、ホストコンピューター及び表示装置を備え、前記ホストコンピューターは、ネットワークインターフェースカード及び第一インターフェースを備え、前記ネットワークインターフェースカードは、少なくとも３本のピンを備え、即ちネットワークに接続されているかどうかを示すために用いられる第一ピン、１０Ｍ又は１００Ｍのネットワーク接続による通信状態を示すために用いられる第二ピン、１０００Ｍのネットワーク接続による通信状態を示すために用いられる第三ピンであり、前記第一インターフェースは、少なくとも２つのピンを備え、即ち前記ネットワークインターフェースカードの第二ピン及び第三ピンに接続される第四ピン、前記ネットワークインターフェースカードの第一ピンに接続される第五ピンであり、前記表示装置は、前記第一インターフェースに接続される第二インターフェースを備え、前記表示装置には、第一発光ダイオード及び第二発光ダイオードが設置され、前記第二インターフェースは、少なくとも２つのピンを備え、即ち別々に前記第一発光ダイオード及び前記第二発光ダイオードを介して同じ電源に接続される第七ピン及び第六ピンであり、前記第四ピンは前記第六ピンに接続され、前記第五ピンは前記第七ピンに接続され、前記第一発光ダイオード及び前記第二発光ダイオードの点灯状態又は点滅状態は、ネットワーク接続を示すために用いられる。
【発明の効果】
【０００５】
従来の技術に比べて、本発明のコンピューターは、表示装置に第一発光ダイオード及び第二発光ダイオードを設置して、ネットワーク接続状態を示すので、ユーザーは、ホストコンピューターの背面のネットワークインターフェースに位置するネットワーク指示ランプを見なくても、表示装置に設置された第一発光ダイオード及び第二発光ダイオードによって、ネットワーク接続状態を便利に確かめることができる。
【図面の簡単な説明】
【０００６】
【図１】本発明の実施形態に係るコンピューターのブロック図である。
【図２】図１に示すコンピューターの回路図である。
【発明を実施するための形態】
【０００７】
以下、図面を参照して、本発明の実施形態について説明する。  
【０００８】
図１及び図２を参照すると、本発明の実施形態に係るコンピューター１００は、ホストコンピューター１及び前記ホストコンピューター１に接続される表示装置２を備える。前記ホストコンピューター１は、ネットワークインターフェースカード（ＮＩＣ）１０及び第一インターフェース２０を備える。前記表示装置２は、第二インターフェース３０、第一発光ダイオードＤ３及び第二発光ダイオードＤ４を備える。本実施形態において、前記ホストコンピューター１は、ローカルエリアネットワーク（ＬＡＮ）インターフェース４０をさらに備える。
【０００９】
前記ネットワークインターフェースカード１０は、少なくとも３本のピンを含み、即ちネットワークに接続されているかどうかを示すために用いられる第一ピンＰ１、１０Ｍ又は１００Ｍのネットワーク接続による通信状態を示すために用いられる第二ピンＰ２、１０００Ｍのネットワーク接続による通信状態を示すために用いられる第三ピンＰ３を備える。
【００１０】
本実施形態において、前記第一インターフェース２０は、ＶＧＡ（Ｖｉｄｅｏ  Ｇｒａｐｈｉｃｓ  Ａｒｒａｙ）雌コネクターであり、少なくとも２つのピンを備え、即ち第四ピンＰ４及び第五ピンＰ５を備える。前記第一インターフェース２０の第五ピンＰ５は、前記ネットワークインターフェースカード１０の第一ピンＰ１に接続される。前記第一インターフェース２０の第四ピンＰ４は、第一隔離ダイオードＤ１を介して前記ネットワークインターフェースカード１０の第二ピンＰ２に接続され、且つ第二隔離ダイオードＤ２を介して前記ネットワークインターフェースカード１０の第三ピンＰ３に接続される。具体的に説明すると、前記第一隔離ダイオードＤ１の陽極は、前記第四ピンＰ４に接続され、前記第一隔離ダイオードＤ１の陰極は、前記第二ピンＰ２に接続され、前記第二隔離ダイオードＤ２の陽極は、前記第四ピンＰ４に接続され、前記第二隔離ダイオードＤ２の陰極は、前記第三ピンＰ３に接続される。
【００１１】
本実施形態において、前記第二インターフェース３０は、ＶＧＡ雄コネクターであり、少なくとも２つのピンを備え、即ち第六ピンＰ６及び第七ピンＰ７を備える。前記第二インターフェース３０の第七ピンＰ７は、第一ダイオードＤ３及びレジスターＲ３を介して、電源ＶＣＣに接続され、前記第二インターフェース３０の第六ピンＰ６は、第二ダイオードＤ４及びレジスターＲ４を介して、前記電源ＶＣＣに接続される。具体的に説明すると、前記第一発光ダイオードＤ３の陽極は、前記レジスターＲ３の一端に接続され、前記第一発行ダイオードＤ３の陰極は、前記第七ピンＰ７に接続され、前記レジスターＲ３の他端は、前記電源ＶＣＣに接続される。前記第二発光ダイオードＤ４の陽極は、前記レジスターＲ４の一端に接続され、前記第二発行ダイオードＤ４の陰極は、前記第六ピンＰ６に接続され、前記レジスターＲ４の他端は、前記電源ＶＣＣに接続される。本実施形態において、前記第一発光ダイオードＤ３及び前記第二発光ダイオードＤ４は、前記表示装置２の側面に設置される。
【００１２】
本実施形態において、前記ローカルエリアネットワークインターフェース４０は、ＲＪ４５インターフェースであり、少なくとも５つのピンを備え、即ち第八ピンＰ８、第九ピンＰ９、第十ピンＰ１０、第十一ピンＰ１１、第十二ピンＰ１２を備える。前記第八ピンＰ８は、レジスターＲＬ２５を介して、前記ネットワークインターフェースカード１０の第一ピンＰ１に接続される。前記第九ピンＰ９は、電源ＶＣＣに接続され、且つ第三発光ダイオードＤ５を介して前記第八ピンＰ８に接続される。具体的に説明すると、前記第三発光ダイオードＤ５の陽極は、前記第九ピンＰ９に接続され、前記第三発光ダイオードＤ５の陰極は、前記第八ピンＰ８に接続される。前記第十ピンＰ１０は、レジスターＲ１を介して、前記ネットワークインターフェースカード１０の第二ピンＰ２に接続される。前記第十一ピンＰ１１は、電源ＶＣＣに接続され、且つ第四発光ダイオードＤ６を介して前記第十ピンＰ１０に接続される。具体的に説明すると、前記第四発光ダイオードＤ６の陽極は、前記第十一ピンＰ１１に接続され、前記第四発光ダイオードＤ６の陰極は、前記第十ピンＰ１０に接続される。前記第十二ピンＰ１２は、レジスターＲ２を介して、前記ネットワークインターフェースカード１０の第三ピンＰ３に接続され、且つ第五発光ダイオードＤ７を介して前記第十一ピンＰ１１に接続される。具体的に説明すると、前記第五発光ダイオードＤ７の陽極は、前記第十一ピンＰ１１に接続され、前記第五発光ダイオードＤ７の陰極は、前記第十二ピンＰ１２に接続される。本実施形態において、前記第三発光ダイオードＤ５は、ネットワークに接続されているかどうかを示す指示ランプであり、前記第四発光ダイオードＤ６は、１０Ｍ又は１００Ｍのネットワーク接続による通信状態を示す指示ランプであり、前記第五発光ダイオードＤ７は、１０００Ｍのネットワーク接続による通信状態を示す指示ランプであり。
【００１３】
使用する時、前記ホストコンピューター１の第一インターフェース２０は、前記表示装置２の第二インターフェース３０に接続され、前記第一インターフェース２０の第四ピンＰ４は、前記第二インターフェース３０の第六ピンＰ６に接続され、前記第一インターフェース２０の第五ピンＰ５は、前記第二インターフェース３０の第七ピンＰ７に接続される。
【００１４】
ネットワークに接続されている場合、前記ネットワークインターフェースカード１０の第一ピンＰ１は低レベルであるので、前記第一インターフェース２０の第五ピンＰ５及び前記第二インターフェース３０の第七ピンＰ７も低レベルであり、前記第二インターフェース３０の第七ピンＰ７に接続された前記第一発光ダイオードＤ３は導通されて発光するとともに、前記第三発光ダイオードＤ５も導通されて発光して、ネットワークに接続されていると示す。
【００１５】
１０Ｍ又は１００Ｍのネットワーク接続による通信がある場合、前記ネットワークインターフェースカード１０の第二ピンＰ２は、連続なパルス信号を送信する。前記ネットワークインターフェースカード１０の第二ピンＰ２から送信するパルス信号が低レベルである場合、前記第二インターフェース３０の第六ピンＰ６に接続された前記第二発光ダイオードＤ４は導通されて発光するとともに、前記第四発光ダイオードＤ６も導通されて発光する。前記ネットワークインターフェースカード１０の第二ピンＰ２から送信するパルス信号が高レベルである場合、前記第二インターフェース３０の第六ピンＰ６に接続された前記第二発光ダイオードＤ４はオフされて発光せず、前記第四発光ダイオードＤ６もオフされて発光しない。このように連続なパルス信号は、前記第二発光ダイオードＤ４及び前記第四発光ダイオードＤ６が同時に点滅する現象を形成して、ネットワーク接続による通信状態を示す。
【００１６】
１０００Ｍネットワーク接続による通信がある場合、前記ネットワークインターフェースカード１０の第三ピンＰ３は、連続なパルス信号を送信する。前記ネットワークインターフェースカード１０の第三ピンＰ３から送信するパルス信号が低レベルである場合、前記第二インターフェース３０の第六ピンＰ６に接続された前記第二発光ダイオードＤ４は導通されて発光するとともに、前記第五発光ダイオードＤ７も導通されて発光する。前記ネットワークインターフェースカード１０の第三ピンＰ３から送信するパルス信号が高レベルである場合、前記第二インターフェース３０の第六ピンＰ６に接続された前記第二発光ダイオードＤ４はオフされて発光せず、前記第五発光ダイオードＤ７もオフされて発光しない。このように連続なパルス信号は、前記第二発光ダイオードＤ４及び前記第五発光ダイオードＤ７が同時に点滅する現象を形成して、ネットワーク接続による通信状態を示す。
【００１７】
本発明のコンピューターにおいて、ネットワークに接続されている場合、前記表示装置２に位置する前記第一発光ダイオードＤ３及び前記ローカルエリアネットワークインターフェース４０に位置する前記第三発光ダイオードＤ５は同時に点灯される。１０Ｍ又は１００Ｍのネットワーク接続による通信がある場合、前記表示装置２に位置する前記第二発光ダイオードＤ４及び前記ローカルエリアネットワークインターフェース４０に位置する前記第四発光ダイオードＤ６は同時に点灯及び点滅される。１０００Ｍのネットワーク接続による通信がある場合、前記表示装置２に位置する前記第二発光ダイオードＤ４及び前記ローカルエリアネットワークインターフェース４０に位置する前記第五発光ダイオードＤ７は同時に点灯及び点滅される。このように前記表示装置２に位置する発光ダイオードと前記ローカルエリアネットワークインターフェース４０に位置する発光ダイオードは、ネットワーク接続による通信状態を同期に示す。
【００１８】
以上、本発明を実施形態に基づいて具体的に説明したが、本発明は、上述の実施形態に限定されるものではなく、その要旨を逸脱しない範囲において、種種の変更が可能であることは勿論であって、本発明の技術的範囲は、添付の特許請求の範囲によって決まる。
【符号の説明】
【００１９】
１  ホストコンピューター
２  表示装置
１０  ネットワークインターフェースカード
２０  第一インターフェース
３０  第二インターフェース
４０  ローカルエリアネットワークインターフェース
１００  コンピューター
Ｄ１  第一隔離ダイオード
Ｄ２  第二隔離ダイオード
Ｄ３  第一発光ダイオード
Ｄ４  第二発光ダイオード
Ｄ５  第三発光ダイオード
Ｄ６  第四発光ダイオード
Ｄ７  第五発光ダイオード
Ｐ１  第一ピン
Ｐ２  第二ピン
Ｐ３  第三ピン
Ｐ４  第四ピン
Ｐ５  第五ピン
Ｐ６  第六ピン
Ｐ７  第七ピン
Ｐ８  第八ピン
Ｐ９  第九ピン
Ｐ１０  第十ピン
Ｐ１１  第十一ピン
Ｐ１２  第十二ピン
Ｒ１、Ｒ２、Ｒ３、Ｒ４、ＲＬ２５  レジスター
ＶＣＣ  電源
【図１】
2012203904.tif 000003
【図２】
2012203904.tif 000004